(57)【要約】      （修正有）【課題】ガス切断器等の異常加熱がなく裏焼けもせず、装置のセッティング作業もなく切断が出来、しかも現場移動は車輪付で簡単に出来る移動式切断機を提供する。【解決手段】ベースとなるベースプレート１と、そのベースプレート１の下側で両側に離間して取付けられた一対の車輪７と、前記ベースプレート１に取付けた駆動モーター２と、その駆動モーター２から動力を伝える軸５の伝達手段と、回転式刃物６と、装置を移動させるグリップ８の移動手段を備えた。【選択図】図１
0003168301.tif 000002
【実用新案登録請求の範囲】
【請求項１】
鉄骨構造における吊りピース、エレクションピース、ガイドピース、ジョイントプレートの突起体の溶接部を移動して切断するための切断機において、ベースとなるベースプレートと、該ベースプレートの下側で両側に離間して取付けられた一対の車輪と、前記ベースプレートに取付けた駆動モーターと該駆動モーターから動力を伝える軸やベルトやギヤーの少なくとも１つ以上の伝達手段と、その動力により回転して切断する回転式刃物と、装置を移動させるグリップやハンドルの移動手段を備えていることを特徴とする移動式切断機。
【考案の詳細な説明】
【技術分野】
【０００１】  本考案は、鉄骨構造における吊りピース等や突起体の溶接部を移動して切断する移動式切断機に関し、母材上面より４ｍｍ程度上側の溶接部を平滑に切断することが出来、ガス切断器等による異常な加熱がない事で裏焼けをなくすことが出来る。しかも装置を切断体に合せるセッティング等の作業もしなくて切断が出来る有用な移動式切断機に関する。
【背景技術】
【０００２】  従来の移動式切断機で、吊りピース等や突起体を母材上面と同一の平滑にする作業においては、回転式刃物とその回転式刃物を駆動させる駆動モーターが本体機枠内で同一軸心に配置されていることで、裏焼けしない程度に溶接部上側をガス切断器等で切断し、その後従来の移動式切断機でその溶接部を数回往復して切りはがす切削方式が一般的であった。又、従来の移動式切断機は現場での移動とセッティングに時間が掛り、切断面の小さな突起体を切断するのに効率が悪かった。仕上げ作業は考案と同様にグラインダーにより母材上面と同一の平滑にする作業を行っている。【０００３】  しかしながら、上記の一度ガス切断器で切断し、その後従来の移動式切断機で数回往復して切りはがす切削方式に当っては作業効率も悪く、短期間で有効な効率が得られる移動式切断機が望まれていた。
【考案の概要】
【考案が解決しようとする課題】
【０００４】  この考案は、上記のような課題に鑑み、その課題を解決すべく創案されたものであって、その目的とするところは鉄骨構造における吊りピース等や突起体の溶接部を切断するにあっては、母材上面より４ｍｍ程度上側を一回で切断し、その後グラインダー等により母材と同一面に仕上げ、短期間で有効な効果が得られ、ガス切断器等の異常加熱がなく裏焼けもせず、装置のセッティング作業もなく切断が出来、しかも現場移動は車輪付で簡単に出来、有用な移動式切断機を提供することにある。
【課題を解決するための手段】
【０００５】    以上の目的を達成するために、この考案は鉄骨構造における吊りピース等や突起体の溶接部を移動して切断するための切断機において、ベースとなるベースプレートと、該ベースプレートの下側で両側に離間して取付けられた一対の車輪と、前記ベースプレートに取付けた駆動モーターと、該駆動モーターから動力を伝える軸やベルトやギヤーの少なくとも１つ以上の伝達手段と、その動力により回転して切断する回転式刃物と、装置を移動させるグリップ等の移動手段を少なくとも装備したものである。
【考案の効果】
【０００６】  以上の記載よりこの考案に係る移動式切断機によれば、鉄骨構造による吊りピース等や突起体の溶接部を平滑に切断することが出来、母材上面より４ｍｍ程度上側を切断し、ガス切断器等による異常な加熱がないことで裏焼けをなくすことが出来る。しかも装置を切断体に合せるセッティング等の作業もしなくて切断作業が出来る。
【図面の簡単な説明】
【図１】この考案の実施の形態を示す移動式切断機の正面図である。
【図２】この考案の実施の形態を示す移動式切断機の平面図である。
【図３】この考案の実施の形態を示す移動式切断機の側面図である。
【考案を実施するための形態】
【０００７】  以下、図面に記載の考案の実施の形態に基づいて、この考案をより具体的に説明する。
【実施例】本考案に係る移動式切断機の実施の一例を図面を参照しながら説明する。
ここで、図１は移動式切断機の正面図、図２は移動式切断機の平面図、図３は移動式切断機の側面図である。【０００８】  鉄骨構造における吊りピース等や突起体の溶接部を切断するための切断機において、ベースとなるベースプレート（１）と、そのベースプレート（１）の下側で両側に離間して取付けられた一対の車輪（７）と、前記ベースプレート（１）に取付けた駆動モーター（２）と、該駆動モーター（２）から動力を伝える軸（５）の伝達手段と、その動力により回転して切断する回転式刃物（６）と、装置を移動させるグリップ（８）の移動手段を備えたものなどから主に構成される移動式切断機について説明する。【０００９】  図１は移動式切断機の正面図、図２は移動式切断機の平面図、図３は移動式切断機の側面図である。ベースプレート（１）は装置のベースとなる部品で台形の形状に切断されたプレートからなる。そのベースプレート（１）の下側にはこの実施するための形態では４ヶ所の車輪（７）を取付けて回転式刃物の高さを安定させている。車輪（７）は市販品とし、磨耗の少ない材質の車輪（７）とする。又、ベースプレート（１）の上側中央付近にはメイン電源ボックス（１１）を取付けるコの字型の溝型鋼がスタンドとして垂直に固着されている。【００１０】  駆動モーター（２）は高速回転の直立式誘導電動機を使用し、ベースプレート（１）に４ヶ所の支柱で支え、その上側に四角形状のプレートにより取付けられている。駆動モーター（２）から軸（５）に動力を伝達するジョイントとしてチェンカップリング（３）が使用されている。【００１１】  軸（５）を支える軸受ケーシング（４）がベースプレート（１）の前方下側に取付けられている。軸受ケーシング（４）の内側にはベアリングが取付けてあり軸（５）の回転を滑らかにしている。【００１２】    実施するための形態では回転式刃物（６）は円形のプレート形状のメタルソーで、その円の中心に穴があり軸（５）に締め付けて取付けられるようになっている。その回転式刃物（６）の円形の外周にはノコ刃形状の山谷刃が加工されその部分で切断を行うようになっている。その回転式刃物（６）は一般に市販されている刃物を使用する。【００１３】  グリップ（８）は装置を移動させる手段として備え、円筒形状の丸パイプになっており、左右両端側はそれぞれ同一方向の内側に９０度折り曲げられ、さらに途中鈍角に折り曲げられて門型状になっており、その両先端にはプレートが固着されている。ベースプレート（１）に取付けられる様に片側２ヶ所の穴加工が施されている。【００１４】  スイッチ（９）は駆動モーター（２）のＯＮ／ＯＦＦのスイッチ用で、異常が発生した時停止するスイッチ（９）でもあり、通常のスイッチとしても使用されグリップ（８）の操作しやすい位置へ取付ける。インバーター（１０）は駆動モーター（２）の回転数をコントロールする装置で切断体により回転数を調整出来る。取付けは操作しやすいベースプレート（１）の手前に取付ける。【００１５】  メイン電源ボックス（１１）はブレーカー使用のスイッチ（９）が組込まれ過電流から駆動モーター（２）を守ったり、又二重のスイッチで安全作業を行うように設置してある。【００１６】  なお、この考案は上記���案の実施の形態に限定されるものではなく、この考案の精神を逸脱しない範囲で種々の改変をなし得ることは勿論である。又、この考案における上記考案の実施するための形態では回転式刃物はメタルソーであったが、サンダー等の回転式刃物を設置することも出来る。
【産業上の利用可能性】
【００１７】  この移動式切断機は鉄骨構造における吊りピースや突起体の溶接部のみならず、木造構造や鉄筋コンクリートの突起体を移動して切断する移動式切断機に関し、母材上面より４ｍｍ程度上側を平滑に１回で切断することが出来、ガス切断器等による異常な加熱がない事で裏焼けをなくすことが出来る。しかも装置を切断体に合せるセッティング等の作業もしなくて切断が出来る有用な移動式切断機の改良に関する。
【符号の説明】      １          ベースプレート
２          駆動モーター
３          チェンカップリング
４          軸受ケーシング
５          軸
６          回転式刃物
７          車輪
８          グリップ
９          スイッチ
１０        インバーター
１１        メイン電源ボックス
【図１】
0003168301.tif 000003
【図２】
0003168301.tif 000004
【図３】
0003168301.tif 000005